(57)【要約】    【課題】      通話中の状態のままで現在行われている会話を中断させることなく、着信を受けるか否かの判定を可能とすること。    【解決手段】  本発明の携帯電話装置１００は、キャッチホン手段と、相手先の電話装置の電話番号を取得することができる電話番号取得手段と、を有している。電話帳情報登録部１０９は、電話番号と氏名の情報を関連付けて登録する。電話かけ手確定手段は、電話番号取得手段により取得された電話番号に基づいて電話帳情報登録部１０９の電話番号を検索して電話かけ手を確定する。文字列音声変換手段は、確定された電話かけ手の氏名の文字情報を音声情報に変換する。電話かけ手情報報知手段は、通話中に着信が発生した時に前記文字列音声変換手段からの前記音声情報を通話のさまたげにならない音量の音声にて使用者に報知する。  【選択図】      図１
2005124062.tif 000002
【特許請求の範囲】
【請求項１】
複数の電話装置の１つとの間で通話を行う通話手段と、前記通話手段による通話中に着信があった時に前記着信を使用者に通知して通話中の呼を保留とし着信した呼を接続するキャッチホン手段と、相手先の電話装置の電話番号を取得することができる電話番号取得手段と、電話番号と氏名の情報を関連付けて登録する電話帳情報登録手段と、前記電話番号取得手段により取得された前記電話番号に基づいて前記電話帳情報登録手段の前記電話番号を検索して電話かけ手を確定する電話かけ手確定手段と、前記電話かけ手確定手段により確定された前記電話かけ手の氏名の文字情報を音声情報に変換する文字列音声変換手段と、通話中に前記着信が発生した時に前記文字列音声変換手段からの前記音声情報を通話のさまたげにならない音量の音声にて使用者に報知する電話かけ手情報報知手段と、を具備することを特徴とする電話装置。
【請求項２】
前記電話かけ手確定手段により該当するかけ手を特定する情報が得られなかった時に前記電話番号取得手段により取得された前記電話番号の情報を音声情報に変換する他の文字列音声変換手段と、前記他の文字列音声変換手段により変換された前記音声情報を通話のさまたげにならない音量の音声にて使用者に報知する他の電話かけ手情報報知手段と、を具備することを特徴とする請求項１に記載の電話装置。
【請求項３】
前記電話帳情報登録手段により登録された前記電話番号の情報の各々に通話中に着信拒否を行うように設定する着信拒否設定手段を具備し、通話中に着信があった時に当該着信に係る前記電話番号の情報に前記着信拒否が設定されている場合には使用者に対して前記着信を報知しないことを特徴とする請求項１又は請求項２に記載の電話装置。
【発明の詳細な説明】
【技術分野】
【０００１】
本発明は、通話中に着信があった時に、着信があったことを使用者に知らせて通話中の呼を保留とし、着信した呼を接続するキャッチホン機能を有する電話装置に関する。
【背景技術】
【０００２】
従来の電話装置として、通話中に別の相手から電話がかかってきたことを交換機からの音によって通知されると、現在通話中の相手に口頭でキャッチホンが入ったことを知らせて、通話中の電話をオフフックすることなく保留状態とし、後から電話をかけてきた別の相手と通話に移行できるキャッチホン機能を有するものが知られている（例えば、特許文献１参照）。
【０００３】
また、他の従来の電話装置として、電話装置に設けられたディスプレイ装置に電話のかけ手の電話番号又は電話帳に登録された氏名を表示することにより、電話のかけ手を認識させる手段を供えたものが知られている。
【特許文献１】特開２０００−１６５５２０号公報（第５−７頁、第１図）
【発明の開示】
【発明が解決しようとする課題】
【０００４】
しかしながら、キャッチホン機能を有する前記従来の電話装置においては、通話中に別の電話のかけ手から電話がかかってきた場合には、現在通話中の電話を保留状態とし、後からかかってきた電話をオンフックして通話を行わなければ電話のかけ手が誰であるかを特定できないという問題がある。
【０００５】
また、ディスプレイ装置に電話のかけ手の電話番号又は電話帳に登録された氏名を表示する前記他の従来の電話装置においては、会話を一旦中断し、ディスプレイ装置に表示される電話のかけ手を確認する動作を行わなければ、電話のかけ手を認識することができないという問題がある。
【０００６】
本発明は、かかる点に鑑みてなされたものであり、通話中の状態のままで現在行われている会話を中断させることなく、着信を受けるか否かの判定を可能とする電話装置を提供することを目的とする。
【課題を解決するための手段】
【０００７】
請求項１に記載の電話装置は、複数の電話装置の１つとの間で通話を行う通話手段と、前記通話手段による通話中に着信があった時に前記着信を使用者に通知して通話中の呼を保留とし着信した呼を接続するキャッチホン手段と、相手先の電話装置の電話番号を取得することができる電話番号取得手段と、電話番号と氏名の情報を関連付けて登録する電話帳情報登録手段と、前記電話番号取得手段により取得された前記電話番号に基づいて前記電話帳情報登録手段の前記電話番号を検索して電話かけ手を確定する電話かけ手確定手段と、前記電話かけ手確定手段により確定された前記電話かけ手の氏名の文字情報を音声情報に変換する文字列音声変換手段と、通話中に前記着信が発生した時に前記文字列音声変換手段からの前記音声情報を通話のさまたげにならない音量の音声にて使用者に報知する電話かけ手情報報知手段と、を具備する構成を採る。
【０００８】
この構成によれば、本電話装置の使用者は、通話中の状態のままで現在行われている会話を中断させることなく、着信の相手を知ることができるため、着信を受けるか否かの判定を可能とする。
【０００９】
請求項２に記載の電話装置は、請求項１に記載の発明において、前記電話かけ手確定手段により該当するかけ手を特定する情報が得られなかった時に前記電話番号取得手段により取得された前記電話番号の情報を音声情報に変換する他の文字列音声変換手段と、前記他の文字列音声変換手段により変換された前記音声情報を通話のさまたげにならない音量の音声にて使用者に報知する他の電話かけ手情報報知手段と、を具備する構成を採る。
【００１０】
この構成によれば、請求項１に記載の発明の効果に加えて、本電話装置の使用者は、通話中に電話帳に登録のなされていない電話かけ手からの着信が発生した場合でも、現在通話中の相手と通話を継続させながら、電話かけ手の電話番号の情報を取得することができる。
【００１１】
請求項３に記載の電話装置は、請求項１又は請求項２に記載の発明において、前記電話帳情報登録手段により登録された前記電話番号の情報の各々に通話中に着信拒否を行うように設定する着信拒否設定手段を具備し、通話中に着信があった時に当該着信に係る前記電話番号の情報に前記着信拒否が設定されている場合には使用者に対して前記着信を報知しない構成を採る。
【００１２】
この構成によれば、請求項１又は請求項２に記載の発明の効果に加えて、使用者の判定により着信相手ごとに通話中の着信報知の可否を設定できるため、現在継続中の通話の妨げとなる緊急度の高くない電話かけ手からの着信報知による通話の妨げを防止することができる。
【発明の効果】
【００１３】
以上説明したように、本発明によれば、本電話装置の使用者は、通話中の状態のままで現在行われている会話を中断させることなく、着信の相手を知ることができるため、着信を受けるか否かの判定を可能とする。
【発明を実施するための最良の形態】
【００１４】
本発明の骨子は、電話番号取得手段により取得された電話番号に基づいて電話帳情報登録手段の電話番号を検索して電話かけ手を確定し、通話中に前記着信が発生した時に確定された前記電話かけ手の氏名の文字情報を文字列音声変換手段により音声情報に変換し、当該音声情報を通話のさまたげにならない音量の音声にて使用者に報知することである。
【００１５】
以下、本発明の実施の形態について、図面を用いて説明する。
【００１６】
（一実施の形態）
図１は、本発明の一実施の形態に係る携帯無線電話装置の構成を示すブロック図である。
【００１７】
図１に示すように、本発明の一実施の形態に係る携帯無線電話装置１００は、マイクロフォン１０１、スピーカ１０２、音声信号処理部１０３、通信制御部１０４、制御部１０５、表示制御部１０６、表示部１０７、操作入力部１０８、電話帳情報登録部１０９、音声データ蓄積部１１０及びアンテナ１１１を具備している。
【００１８】
マイクロフォン１０１は、音声を受けて音声信号を生成して音声信号処理部１０３に与える。スピーカ１０２は、音声信号処理部１０３から音声信号を受けて音声を出力する。音声信号処理部１０３は、マイクロフォン１０１からの音声を受けて音声信号を処理して通信制御部１０４に与える。また、音声信号処理部１０３は、通信制御部１０４からの音声信号を処理してスピーカ１０２に与える。また、音声信号処理部１０３は、音声データ蓄積部１１０からの音声データを制御部１０５を介して受けて処理し音声信号を生成してスピーカ１０２に与える。
【００１９】
通信制御部１０４は、マイクロフォン１０１からの音声信号を音声信号処理部１０３を介して受けて処理してアンテナ１１１に与える。また、通信制御部１０４は、操作入力部１０８からの情報を制御部１０５を介して受けてアンテナ１１１に与える。また、通信制御部１０４は、アンテナ１１１から音声信号を受けて処理して音声信号処理部１０３に与える。また、通信制御部１０４は、アンテナ１１１から情報を受けて処理して制御部１０５に与える。
【００２０】
制御部１０５は、音声信号処理部１０３、通信制御部１０４、表示制御部１０６、表示部１０７、操作入力部１０８、電話帳情報登録部１０９及び音声データ蓄積部１１０を制御する。制御部１０５は、ＣＰＵ等で構成されている。表示制御部１０６は、表示すべき情報の制御を行う。表示部１０７は、液晶表示器等で構成されており、表示制御部１０６により制御され情報を表示する。
【００２１】
操作入力部１０８は、テンキー及びその他のキーで構成されており、電話番号及び操作信号を入力するためのものである。電話帳情報登録部１０９は、電話番号と少なくとも氏名等の個人情報等を登録するためのものである。音声データ蓄積部１１０は、携帯無線電話装置１００の使用者に対して提供する音声メッセージを蓄積している。音声データ蓄積部１１０は、磁気テープ、ＤＲＡＭ又はＥ２ＰＲＯＭ等により構成されている。アンテナ１１１は、通信制御部１０４からのデータ及び音声信号を相手の電話装置に送信し、また、相手の電話装置からのデータ及び音声信号を受信して通信制御部１０４に与える。
【００２２】
携帯無線電話装置１００は、アンテナ１１１を介して基地局とのデータの送受信を行うことで実現される通話中に、アンテナ１１１及び通信制御部１０４を介して制御部１０５が現在通話中の相手以外の電話かけ手の電話装置からの着信を受信すると、受信時に得られるＣＬＩ情報に設定のある電話番号に基づいて電話帳情報登録部１０９の電話帳情報を検索して着信相手を判定する。
【００２３】
携帯無線電話装置１００は、通話中に着信相手が判定されると、制御部１０５が電話帳情報登録部１０９に登録されている電話かけ手に該当する情報から使用者への着信有無を判定し、着信報知が必要と判定された場合には、音声報知文字列に対応する報知音声データを音声データ蓄積部１１０に保存されている音声データから作成し、前記報知音声データを音声信号処理部１０３を介してスピーカ１０２に与えて通話のさまたげにならない音量の音声で使用者に報知する。携帯無線電話装置１００の使用者は、操作入力部１０８を操作して着信した相手の電話装置の使用者と通話をすることができる。すなわち、携帯無線電話装置１００は、通話中に着信があった時に前記着信を使用者に通知して通話中の呼を保留とし着信した呼を接続するキャッチホン機能を有している。
【００２４】
次に、本発明の一実施の形態に係る携帯無線電話装置１００の動作について、図１乃至図６を参照してさらに詳細に説明する。ここでは、本発明の一実施の形態に係る携帯無線電話装置１００においてある相手と通話中に他の相手の電話装置から着信が起こった時に、使用者に対する着信報知の有無を判定し、着信報知が必要と判定された場合に使用者に対して音声情報にて着信の旨を報知する時の動作を詳細に説明する。
【００２５】
図２は、本発明の一実施の形態に係る携帯無線電話装置１００の動作を説明するためのフローチャートである。
【００２６】
図２に示すように、携帯無線電話装置１００は、通話中に着信があった時に前記着信のＣＬＩ（Ｃａｌｌｉｎｇ  Ｌｉｎｅ  Ｉｄｅｎｔｉｔｙ）情報を取得し（ステップＳＴ２０１）、電話帳登録情報の検索をし（ステップＳＴ２０２）、着信報知の判定をし（ステップＳＴ２０３）、着信報知を行うかの判定をし（ステップＳＴ２０４）、音声合成をし（ステップＳＴ２０５）、かつ、音声情報の出力をする（ステップＳＴ２０６）。
【００２７】
図３は、図２における電話帳登録情報の検索をするステップＳＴ２０２の詳細な動作を説明するためのフローチャートである。
【００２８】
図３に示すように、携帯無線電話装置１００は、ＣＬＩ情報（電話番号）が電話帳登録情報（登録電話番号）に合致しないか否かを判定する（ステップＳＴ３０１）。この場合に、携帯無線電話装置１００は、例えば、電話帳情報登録部１０９に設定されている図６に記した電話帳データの電話番号１又は電話番号２とＣＬＩ情報に設定のある着信者の電話番号とを比較する。ステップＳＴ３０１においてＣＬＩ情報（電話番号）が電話帳登録情報（登録電話番号）に合致する時には、携帯無線電話装置１００は、電話帳抽出情報に該当の電話帳データレコードを設定し（ステップＳＴ３０２）、動作は図２のフローにリターンする。
【００２９】
また、ステップＳＴ３０１においてＣＬＩ情報（電話番号）が電話帳登録情報（登録電話番号）に合致しない時には、携帯無線電話装置１００は、ステップＳＴ３０１における電話帳登録情報分の比較が完了か否かを判定する（ステップＳＴ３０３）。ステップＳＴ３０１における電話帳登録情報分の比較が完了でない時には、動作はステップＳＴ３０１に戻る。ステップＳＴ３０１における電話帳登録情報分の比較が完了である時には、携帯無線電話装置１００は、電話帳抽出情報に該当の電話番号なしを設定し（ステップＳＴ３０４）、動作は図２のフローにリターンする。
【００３０】
図４は、図２における着信報知の判定をするステップＳＴ２０３の詳細な動作を説明するためのフローチャートである。
【００３１】
図４に示すように、携帯無線電話装置１００は、電話帳抽出該当情報が有るかを判定する（ステップＳＴ４０１）。この場合に、携帯無線電話装置１００は、電話帳抽出情報に電話帳データレコードが設定されていれば電話帳抽出該当情報有りと判定し、電話帳抽出情報に電話帳データレコードが設定されていなければ電話帳抽出該当情報無しであると判定する。
【００３２】
ステップＳＴ４０１において電話帳該当情報が有る時には、電話帳データレコードの該当する情報における通話中の音声報知有無情報を取得して通話中の音声報知が有りか否かを判定する（ステップＳＴ４０２）。ステップＳＴ４０２において音声報知が有りである時には、電話帳データレコードの該当する情報の音声作成文字列を記憶し（ステップＳＴ４０３）、動作は図２のフローにリターンする。ステップＳＴ４０２において音声報知が有りでない時には、動作は図２のフローにリターンする。
【００３３】
ステップＳＴ４０１において電話帳該当情報がない時には、携帯無線電話装置１００は、電話番号の音声報知が有りか否を判定する（ステップＳＴ４０４）。ステップＳＴ４０４において電話番号の音声報知が有りである時には、携帯無線電話装置１００は、ＣＬＩ情報の電話かけ手の電話番号を記憶し（ステップＳＴ４０５）、動作は図２のフローにリターンする。ステップＳＴ４０４において電話番号の音声報知が有りでない時には、動作は図２のフローにリターンする。
【００３４】
図５は、図２における音声合成をするステップＳＴ２０５の詳細な動作を説明するためのフローチャートである。
【００３５】
図５に示すように、携帯無線電話装置１００は、音声作成文字に該当する音声データを設定する（ステップＳＴ５０１）。この場合に、携帯無線電話装置１００は、ステップＳＴ２０３で記憶された文字列の１文字（数字を含む）ずつ音声データに変換して記憶していく。
【００３６】
次に、携帯無線電話装置１００は、音声作成文字列分の音声データの設定が完了か否を判定する（ステップＳＴ５０２）。ステップＳＴ５０２において音声報知文字列分の音声データの設定が完了でない時には、動作はステップＳＴ５０１に戻る。
【００３７】
ステップＳＴ５０２において音声作成文字列分の音声データの設定が完了である時には、携帯無線電話装置１００は、音声データ蓄積部１１０の音声データの付加設定を行う（ステップＳＴ５０３）。この場合に、携帯無線電話装置１００は、音声データ蓄積部１１０に予め設定されている“さんからお電話です”、また、“様からお電話が入っています”等の固定の音声データを、ステップＳＴ５０１において記憶された音声データに結合して記憶する。
【００３８】
ステップＳＴ２０６において、音声信号処理部１０３は、マイクロフォン１０１を介して使用者に対して、音声にて着信相手の情報を報知する。たとえば、通話中に１２３４５６７８９の電話番号のかけ手から着信が発生した場合には、図６の電話帳データ（ｎ−１）のレコード該当のマツシタタロウの文字列を音声に変換し、固定音声情報として蓄積されている、“さんからお電話です”の音声情報と結合して使用者に対して、“マツシタタロウさんからお電話です”と、音声にて使用者に対して報知する。
【００３９】
本実施の形態においては、携帯無線電話装置１００は、電話帳情報登録部１０９により登録された電話番号の情報の各々に通話中に着信拒否を行うように設定する着信拒否設定手段を具備し、通話中に着信があった時に当該着信に係る前記電話番号の情報に前記着信拒否が設定されている場合には使用者に対して前記着信を報知せず、着信を報知しない判定がなされた場合には電話かけ手又はネットワークに対する応答はなにも行わせていないが、本発明の携帯無線電話装置の使用者が、現在電話中の旨、又は、電話かけ手からの着信に応答することができない旨の情報を、電話かけ手又はネットワークに対して送信するようにしてもよい。
【産業上の利用可能性】
【００４０】
本発明は、携帯無線電話装置以外の種々の電話装置に適用することができる。
【図面の簡単な説明】
【００４１】
【図１】本発明の一実施の形態に係る携帯無線電話装置の構成の一例を示すブロック図
【図２】本発明の一実施の形態に係る携帯無線電話装置の動作を説明するためのフローチャート
【図３】図２における電話帳登録情報の検索をするステップの詳細な動作を説明するためのフローチャート
【図４】図２における着信報知の判定をするステップの詳細な動作を説明するためのフローチャート
【図５】図２における音声合成をするステップの詳細な動作を説明するためのフローチャート
【図６】本発明の一実施の形態に係る携帯無線電話装置の電話帳登録部における情報の例を説明するための図
【符号の説明】
【００４２】
１００  携帯無線電話装置
１０１  マイクロフォン
１０２  スピーカ
１０３  音声信号処理部
１０４  通信制御部
１０５  制御部
１０６  表示制御部
１０７  表示部
１０８  操作入力部
１０９  電話帳情報登録部
１１０  音声データ蓄積部
１１１  アンテナ
【図１】
2005124062.tif 000003
【図２】
2005124062.tif 000004
【図３】
2005124062.tif 000005
【図４】
2005124062.tif 000006
【図５】
2005124062.tif 000007
【図６】
2005124062.tif 000008